(57)【要約】      （修正有）【課題】１個の物干し用具に同時に干し難かったタオル、ハンカチ等と、シャツ等を同時に干すことを可能にし、かつ、狭隘なクローゼット等にシャツ等を効率的に多数収納可能にした多目的物干し用具を提供する。【解決手段】樹脂製等のメインフレーム１及び２を蝶番状に連結し、その上部には接続フレーム４及び５を介してフック３を設置し、下部には洗濯バサミ付きハンガー７を等間隔に複数取り付け、更に各メインフレームの外側端に洗濯バサミを取り付けた補助フレーム８及び９を設置して、ハンガーを要する洗濯物と要さない洗濯物が同時に干せるようにするとともに、各メインフレームの両端上部にある補助接続フレーム１０及び１１をフック３の回転台座２２にある補助接続フレーム接続ガイド２４に接続することにより狭隘なスペースにシャツ等を収納できるようにした。【選択図】図１
0003111151.tif 000002
【実用新案登録請求の範囲】
【請求項１】
樹脂、若しくはプラスチック製の中央部より２つ折れする構造にしたメインフレームａ１及びメインフレームｂ２の下部に各々５個ずつ等間隔に設置した洗濯バサミ付きハンガー７を設置し、更に各メインフレーム外側端に設置した補助フレームａ８及び補助フレームｂ９の下部に各々等間隔に３個ずつ洗濯バサミを設置することにより、従来では１個の物干し器具では困難であったタオル、ハンカチ、靴下等と、シャツ等の同時干しが容易になり、物干しスペースの省スペース化を図ることができる多目的物干し用具。
【請求項２】
メインフレームａ１及びメインフレームｂ２を折り畳み、各メインフレームの先端部に設置されている補助接続フレームａ１０及び補助接続フレームｂ１１の先端部を図５のとおりフック３の補助接続フレーム接続ガイド２４へ嵌入することにより、クローゼット等の狭隘な衣服収納庫における収納用ハンガーとなる多目的物干し用具。
【考案の詳細な説明】
【技術分野】
【０００１】本考案は多目的物干し用具に係るものである。
【背景技術】
【０００２】従来、多目的物干し用具は、図１０に示す長方形のフレームに洗濯バサミを多数装備したもの、若しくは図１１に示す棒状のフレームにハンガーのみを複数装備したものが一般的であった。
【考案の開示】
【考案が解決しようとする課題】
【０００３】図１０に示す従来の多目的物干し用具は、ハンガーを使用しないと型崩れするシャツ等に対応しておらず、当該シャツ等を干す際には多目的物干し用具とは別にハンガー等を用意して干さなければならないため、余分に物干しスペースを確保しなければならないという問題があった。【０００４】図１１に示す棒状のフレームにハンガーのみを複数装備したものでは、靴下又はハンカチ等の小物に対応しておらず、小物を干すための物干し用具の物干しスペースを別に確保しなければならないという問題があった。【０００５】また、図１１に示す物干し用具では、シャツ等が干し終わった後、当該用具を衣服の収納用ハンガーとしてシャツ等を掛けたままクローゼット等に収納しようとした場合、当該用具の収納スペースが嵩張り、当該用具をシャツ等の収納用ハンガーとしては使用し難いという問題があった。
【課題を解決するための手段】
【０００６】上記問題を解決するために、図１に示すとおり樹脂、若しくはプラスチック等を用いたメインフレームａ１及びメインフレームｂ２を上方へ折りたためるように接ぎ、各メインフレームの上部中央部にメインフレームとフック３を繋ぐ接続フレームａ４及び接続フレームｂ５の一方を取り付け、他方をフック３へ取り付ける。なお、図２のとおり接続フレーム４及び５はメインフレームを折り畳んだ際にフック３がメインフレームの接続部とは逆の先端部より上方となるようにする。また、図３に示すとおり各メインフレームの開脚状態を補助する開脚補助フレーム６をメインフレームａ１に設置し、メインフレームｂ２には開脚補助フレーム６の先端部を受ける開脚補助フレーム接続ガイド１９を形成する。【０００７】メインフレームａ１及びメインフレームｂ２の下部には洗濯バサミ付きハンガー７を各メインフレームに５個ずつ等間隔になるよう設置する。この際に図４に示すように洗濯バサミ付きハンガー７はメインフレームとハンガーの取付点１３′を支点としてメインフレームの方向に自由に動くようにし、その他の方向へは動かないようにする。【０００８】図１に示すように、メインフレームａ１及びメインフレームｂ２の接続部とは逆の先端部に補助フレームａ８及び補助フレームｂ９を設置し、各補助フレームの下部に洗濯バサミを３個ずつ等間隔に設置する。この際に補助フレームと洗濯バサミは樹脂又はプラスチック製のチェーン等により接続する。【０００９】図３に示すように、メインフレームａ１及びメインフレームｂ２の上部先端部に補助接続フレームａ１０及び補助接続フレームｂ１１を設け、図５に示す収納用ハンガーとして用いる際には補助接続フレームａ１０及び補助接続フレームｂ１１をフック３の補助接続フレーム接続ガイド２４へ接続できるようにする。
【作用】
【００１０】メインフレームａ１及びメインフレームｂ２を開脚させ図３のとおり開脚補助フレーム６の先端部をメインフレームｂ２の開脚補助フレーム接続ガイド１９へ嵌入してメインフレームａ１及びメインフレームｂ２を開脚状態にすると、メインフレームａ１及びメインフレームｂ２の各々へ５個ずつ等間隔に設置した洗濯バサミ付きハンガー７が図１のとおり配されるので、本考案では図１０及び図１１に示す従来の多目的物干し用具では困難であったタオル、ハンカチ、靴下等と、シャツ等の同時干しが容易になり、これによって、物干しスペースの省スペース化を図ることができる。
【００１１】メインフレームａ１及びメインフレームｂ２を折り畳み、各メインフレームの先端部に設置されている補助接続フレームａ１０及び補助接続フレームｂ１１の先端部を図５のとおりフック３の下部に設置された回転台座２２にある補助接続フレーム接続ガイド２４へ嵌入することにより、クローゼット等の狭隘な衣服収納庫における収納用ハンガーとして利用し易くなる。
【実施例】
【００１２】次に実施例について図面を参照して説明する。【００１３】樹脂、又はプラスチックの中空角材を図６に示すようにメインフレームａ１及びメインフレームｂ２各々一方の端を接続して開閉できるよう蝶番ａ１２及び蝶番ｂ１２′に形成する。【００１４】かつ、図６に示すようにメインフレームａ１及びメインフレームｂ２各々の両側面に、洗濯バサミ付きハンガー７の取付穴１３、フック３を連結させるための接続フレームａ４及び接続フレームｂ５の取付穴１４、並びにメインフレームを閉じて収納用ハンガーとする際にメインフレームａ１及びメインフレームｂ２の先端部とフック３を連結する補助接続フレームａ１０及び補助接続フレームｂ１１を取り付けるための取付穴１５を形成する。なお、補助接続フレームａ１０及び補助接続フレームｂ１１を使用しない場合に格納するための補助接続フレーム格納ガイド１６を図６のようにメインフレームａ１及びメインフレームｂ２に形成する。【００１５】更には、メインフレームを開脚した際に開脚状態を保持する開脚補助フレーム６を設置するための取付穴１７と開脚補助フレーム６を使用しない際に格納するための開脚補助フレーム格納ガイド１８を図６のようにメインフレームａ１へ形成し、一方メインフレームｂ２へは開脚補助フレーム６を使用した際に開脚補助フレーム６の先端部を固定できるよう開脚補助フレーム接続ガイド１９を形成する。【００１６】メインフレームａ１及びメインフレームｂ２の蝶番状に形成された接続部とは逆の端には、図７のように補助フレームａ８及び補助フレームｂ９を嵌め込めるよう中空にする。また、補助フレームａ８及び補助フレームｂ９はフレーム中央部がメインフレームの端に嵌め込めるよう図８のように突起状２０に形成する。なお、補助フレームａ８及び補助フレームｂ９の下部には洗濯バサミを等間隔に各々３個ずつ樹脂又はプラスチック等のチェーン等によって取り付けられるよう図８のとおり取付穴２１を形成する。【００１７】フック３については、図９のとおり物干し竿等から外れ難くするために、フック本体は物干し竿を挟み込めるようにコイルバネを用いて加工し、かつ本考案がフック３を中心にして３６０度回転できるよう回転台座２２を設け、回転台座２２の側面に接続フレームａ４及び接続フレームｂ５を取り付けるための取付穴２３を、また、台座上部に補助接続フレームａ１０及び補助接続フレームｂ１１を接続するための補助接続フレーム接続ガイド２４を形成する。【００１８】図１のようにメインフレームａ１及びメインフレームｂ２は蝶番状に形成した接続部を接続し、メインフレーム上方へは接続フレームａ４及び接続フレームｂ５を取り付けてフック３を連結し、メインフレーム下方へは洗濯バサミ付きハンガー７を各々フレームに５個ずつ取り付け、更には、開脚補助フレーム６、補助接続フレームａ１０及び補助接続フレームｂ１１、並びに洗濯バサミを下方へ３個ずつ取り付けた補助フレームａ８及び補助フレームｂ９を所定の位置に設置することによって本考案を形成する。
【考案の効果】
【００１９】図１のとおりメインフレームａ１及びメインフレームｂ２の各々へ洗濯バサミ付きハンガー７を等間隔に５個ずつ設置することにより、図１０及び図１１のような従来の多目的物干し用具では両立し難かったシャツ等とタオル・ハンカチ・靴下等との同時干しが可能となり、これによって、洗濯物を干すスペースの省スペース化を図ることができる。
【００２０】図５のとおりメインフレームａ１及びメインフレームｂ２を折り畳み、各メインフレームの先端部に設置されている補助接続フレームａ１０及び補助接続フレームｂ１１をフック３の回転台座２２へ連結することにより、クローゼット等の狭隘な衣服収納庫等における収納用ハンガーとして利用できる。
【図面の簡単な説明】
【００２１】
【００２２】
【図１】開脚状態の本考案の斜視図である。
【図２】閉脚状態の本考案の側面図である。
【図３】開脚状態の本考案の側面図である。
【図４】本考案のメインフレームと洗濯バサミ付ハンガーの取付部の側面図及び前面図である。
【図５】収納用ハンガーにした状態の側面図である。
【図６】本考案のメインフレームの側面図である。
【図７】本考案のメインフレームと補助フレームの接合部の側面図である。
【図８】本考案の補助フレームの側面図及び前面図である。
【図９】本考案のフックの側面図である。
【図１０】従来の多目的物干し用具（角型フレーム）の斜視図である。
【図１１】従来の多目的物干し用具（多ハンガー型）の斜視図である。
【符号の説明】
【００２３】  １  メインフレームａ
２  メインフレームｂ
３  フック
４  接続フレームａ
５  接続フレームｂ
６  開脚補助フレーム
７  洗濯バサミ付きハンガー
８  補助フレームａ
９  補助フレームｂ
１０  補助接続フレームａ
１１  補助接続フレームｂ
１２  メインフレーム接続蝶番ａ
１２′メインフレーム接続蝶番ｂ
１３  洗濯バサミ付きハンガーの取付穴
１４  接続フレームの取付穴（メインフレーム側）
１５  補助接続フレームの取付穴
１６  補助接続フレーム格納ガイド
１７  開脚補助フレームの取付穴
１８  開脚補助フレーム格納ガイド
１９  開脚補助フレーム接続ガイド
２０  補助フレーム接続突起
２１  洗濯バサミ連結チェーン等取穴
２２  回転台座
２３  接続フレームの取付穴（フック側）
２４  補助接続フレーム接続ガイド
【図１】
0003111151.tif 000003
【図２】
0003111151.tif 000004
【図３】
0003111151.tif 000005
【図４】
0003111151.tif 000006
【図５】
0003111151.tif 000007
【図６】
0003111151.tif 000008
【図７】
0003111151.tif 000009
【図８】
0003111151.tif 000010
【図９】
0003111151.tif 000011
【図１０】
0003111151.tif 000012
【図１１】
0003111151.tif 000013
【手続補正書】
【提出日】平成17年1月25日(2005.1.25)
【手続補正１】
【補正対象書類名】実用新案登録請求の範囲
【補正対象項目名】請求項２
【補正方法】変更
【補正の内容】
【請求項２】
メインフレームａ１及びメインフレームｂ２を、メインフレームａ１とｂ２の接続部を曲折点としてフック３側へ折り畳み、メインフレームａ１とｂ２の接続部とは逆側のメインフレームａ１及びｂ２それぞれの先端上部に設置されている補助接続フレームａ１０及び補助接続フレームｂ１１の先端部をフック３の補助接続フレーム接続ガイド２４へ掛け、物干し用具をＶ字形にしてコンパクト化することにより、クローゼット等の狭隘な衣服収納庫における収納用ハンガーとなる多目的物干し用具。